(57)【要約】【課題】  装飾品への受光の強弱や見る方向によって、光の透過と反射とが相俟って独創的な質感を醸し出すことができる物品の装飾コーティング構造を提供すること。【解決手段】  基材１の表面に有色塗料が付着して成る塗料層２を形成する一方、この塗料層２の表面には、少なくとも金属光沢を有する金属材料を層着した１〜１０００ナノメートルの金属薄膜層３を形成し、かつ、これらの複合層の表面を、透光性を有する合成樹脂材料からなるクリアコーティング層４によってカバーリングし、半透鏡面状の前記金属薄膜層３により、前記塗料層２の色合いを現出する透過要素と、受光の少なくとも一部を反射する金属光沢要素とが混在した外観を呈するとともに、前記クリアコーティング層４が、前記複合層の混在外観を透過して、かつ、光干渉模様を加味するという技術的手段を採用した。【選択図】  図１
0003134340.tif 000002
【実用新案登録請求の範囲】
【請求項１】
基材１の表面に有色塗料が付着して成る塗料層２が形成される一方、この塗料層２の表面には、少なくとも金属光沢を有する金属材料を層着した１〜１０００ナノメートルの金属薄膜層３が形成され、かつ、これらの複合層の表面は、透光性を有する合成樹脂材料からなるクリアコーティング層４によってカバーリングされており、
半透鏡面状の前記金属薄膜層３により、前記塗料層２の色合いを現出する透過要素と、受光の少なくとも一部を反射する金属光沢要素とが混在した外観を呈するとともに、
前記クリアコーティング層４が、前記複合層の混在外観を透過して、かつ、光干渉模様を加味していることを特徴とする物品の装飾コーティング構造。
【請求項２】
基材１の使用材料が、合成樹脂、金属、木、竹、べっ甲、石のうちの何れかであることを特徴とする請求項１記載の物品の装飾コーティング構造。
【請求項３】
塗料層２の有色塗料が、顔料を含む無溶剤形のペイントまたは溶剤形のエナメルであることを特徴とする請求項１または２記載の物品の装飾コーティング構造。
【請求項４】
金属薄膜層３の金属材料が、アルミニウム、チタン、モリブデン、亜鉛、コバルト、ニッケル、クロム 、金、銀、銅、鉄などの金属、黄銅（Ｃｕ−Ｆｅ）、ステンレス（Ｆｅ−Ｎｉ−Ｃｒ）、青銅（Ｃｕ−Ｓｎ）などの合金、酸化珪素、酸化チタン 、ＩＴＯ（酸化インジウムスズ）、ＤＬＣ（ダイヤモンドライクカーボン）、窒化チタン、炭化チタンのうちの何れかであることを特徴とする請求項１〜３の何れか一つに記載の物品の装飾コーティング構造。
【請求項５】
クリアコーティング層４の合成樹脂材料が、アクリル系、ポリエステル系、ウレタン系、ポリオレフィン系、フッ素系、エポキシ系、酢酸ビニル系、クロロプレン系などの有機樹脂、無機系ポリマーを配合した有機樹脂、紫外線硬化型樹脂、電子線硬化型樹脂などの無色透明樹脂であることを特徴とする請求項１〜４の何れか一つに記載の物品の装飾コーティング構造。
【考案の詳細な説明】
【技術分野】
【０００１】
本考案は、装飾品の表面処理技術の改良、更に詳しくは、装飾品への受光の強弱や見る方向によって、光の透過と反射とが相俟って独創的な質感を醸し出すことができる物品の装飾コーティング構造に関するものである。
【背景技術】
【０００２】
周知のとおり、眼鏡や時計、アクセサリーなどはお洒落のアイテムとして重用されており、これらの物品が装飾性を有するためには、人の視覚に訴えるもののデザイン効果が高く、例えば、表面にメッキを施したものが知られている（例えば、特許文献１参照）。
【０００３】
しかしながら、このような従来のメッキによる表面装飾では、金属光沢があるにしても単調な反射パターンであって、外観に深みが無いという不満があり、装飾性に今一つ物足りなさがあった。
【特許文献１】登録実用新案第３１１２０１５号公報  （第３−４頁、図１−４）
【考案の開示】
【考案が解決しようとする課題】
【０００４】
本考案は、従来の装飾品の表面加工に上記のような不満があったことに鑑みて為されたものであり、その目的とするところは、装飾品への受光の強弱や見る方向によって、光の透過と反射とが相俟って独創的な質感を醸し出すことができる物品の装飾コーティング構造を提供することにある。
【課題を解決するための手段】
【０００５】
本考案者が上記課題を解決するために採用した手段を添付図面を参照して説明すれば次のとおりである。
【０００６】
即ち、本考案は、基材１の表面に有色塗料が付着して成る塗料層２を形成する一方、この塗料層２の表面には、少なくとも金属光沢を有する金属材料を層着した１〜１０００ナノメートルの金属薄膜層３を形成し、かつ、これらの複合層の表面を、透光性を有する合成樹脂材料からなるクリアコーティング層４によってカバーリングし、
半透鏡面状の前記金属薄膜層３により、前記塗料層２の色合いを現出する透過要素と、受光の少なくとも一部を反射する金属光沢要素とが混在した外観を呈するとともに、
前記クリアコーティング層４が、前記複合層の混在外観を透過して、かつ、光干渉模様を加味するという技術的手段を採用した。
【０００７】
また、本考案は、上記課題を解決するために、必要に応じて上記手段に加え、基材１の使用材料を、合成樹脂、金属、木、竹、べっ甲、石のうちの何れかにするという技術的手段を採用した。
【０００８】
更にまた、本考案は、上記課題を解決するために、必要に応じて上記手段に加え、塗料層２の有色塗料を、顔料を含む無溶剤形のペイントまたは溶剤形のエナメルにするという技術的手段を採用した。
【０００９】
更にまた、本考案は、上記課題を解決するために、必要に応じて上記手段に加え、金属薄膜層３の金属材料を、アルミニウム、チタン、モリブデン、亜鉛、コバルト、ニッケル、クロム、金、銀、銅、鉄などの金属、黄銅（Ｃｕ−Ｆｅ）、ステンレス（Ｆｅ−Ｎｉ−Ｃｒ）、青銅（Ｃｕ−Ｓｎ）などの合金、酸化珪素、酸化チタン、ＩＴＯ（酸化インジウムスズ）、ＤＬＣ（ダイヤモンドライクカーボン）、窒化チタン、炭化チタンのうちの何れかにするという技術的手段を採用した。
【００１０】
更にまた、本考案は、上記課題を解決するために、必要に応じて上記手段に加え、クリアコーティング層４の合成樹脂材料を、アクリル系、ポリエステル系、ウレタン系、ポリオレフィン系、フッ素系、エポキシ系、酢酸ビニル系、クロロプレン系などの有機樹脂、無機系ポリマーを配合した有機樹脂、紫外線硬化型樹脂、電子線硬化型樹脂などの無色透明樹脂にするという技術的手段を採用した。
【考案の効果】
【００１１】
本考案にあっては、基材の表面に有色塗料が付着して成る塗料層を形成する一方、この塗料層の表面には、少なくとも金属光沢を有する金属材料を層着した１〜１０００ナノメートルの金属薄膜層を形成し、かつ、これらの複合層の表面を、透光性を有する合成樹脂材料からなるクリアコーティング層によってカバーリングしたことによって、半透鏡面状の前記金属薄膜層により、前記塗料層の色合いを現出する透過要素と、受光の少なくとも一部を反射する金属光沢要素とが混在した外観を呈するとともに、前記クリアコーティング層が、前記複合層の混在外観を透過して、かつ、光干渉模様を加味することができる。
【００１２】
したがって、本考案のコーティング構造によれば、装飾品への受光の強弱や見る方向によって、光の透過と反射とが相俟って独創的な質感を醸し出すことができることから、装飾品の表面加工における実用的利用価値は頗る高いと云える。
【考案を実施するための最良の形態】
【００１３】
本考案を実施するための最良の形態を具体的に図示した図面に基づいて更に詳細に説明すると、次のとおりである。
【００１４】
本考案の実施形態を図１から図３に基づいて説明する。図１中、符号１で指示するものは基材であり、この基材１は、合成樹脂、金属、木、竹、べっ甲、石などを採用することができる。
【００１５】
次に、符号２で指示するものは塗料層であり、この塗料層２は、前記基材１の表面に有色塗料が付着して成るものである。
【００１６】
また、符号３で指示するものは金属薄膜層であり、この金属薄膜層３は、少なくとも金属光沢を有する金属材料を前記塗料層２の表面に層着されており、層厚は１〜１０００ナノメートルである。
【００１７】
更にまた、符号４で指示するものはクリアコーティング層であり、このクリアコーティング層４は、透光性を有する合成樹脂材料からなる。
【００１８】
しかして、本考案のコーティング構造を構成するにあっては、まず、基材１の表面に有色塗料が付着して成る塗料層２を形成する。基材１の具体的な材料としては、合成樹脂（ポリエチレンテレフタレート、ポリブチレンテレフタレート、エポキシ、ポリカーボネート、アセチルセルロース、ナイロン、ＡＢＳ樹脂、ポリアセタール、ポリイミド、フッ素系樹脂など）、金属（ニッケル銅亜鉛合金（洋白）、銅合金、ニッケル合金、チタン、ステンレス、アルミニウム合金、超弾性合金など）、木、竹、べっ甲、石などを採用することができ、本実施形態では、合成樹脂（ＡＢＳ樹脂）を採用する。
【００１９】
また、コーティングの対象とする前記基材１による装飾品としては、眼鏡、ライター、時計、イヤリング、ブレスレット、ネックレス、指輪、筆記具などから選択することができ、本実施形態では、図２に示す眼鏡または図３に示すライターについて採用する。
【００２０】
そして、塗料層２の有色塗料としては、基材１が露出しないように被覆できる顔料を含むもの（無溶剤形のペイントや溶剤形のエナメル）であって、また、塗装する際は、スプレーによる噴霧法やディッピング（含浸）法、刷毛塗り法などを適用することができる。
【００２１】
次に、前記塗料層２の表面に、少なくとも金属光沢を有する金属材料を層着した１〜１０００ナノメートルの金属薄膜層３を形成する。この金属薄膜層３の形成には、イオンプレーティング法や真空蒸着法、スパッタリング法、イオンビーム蒸着法などを採用し得るが、本実施形態では、定着性の優れたスパッタ方式のイオンプレーティング法を使用することにより、確実かつ強固に層着させることができる。イオンプレーティング工程は、例えば、以下のように行うことができる。
【００２２】
まず、前記のように塗料層２を形成した基材１をイオンプレーティング装置（本実施形態では、直径１３０ｃｍ、高さ１３０ｃｍの円筒形チャンバー）内に取り付け、アルゴン雰囲気中で基材表面をボンバードクリーニングする。この際、定着性の観点から、前処理として、前記塗料層２の表面にエッチング処理を施すのが好ましい。
【００２３】
次いで、これらの表面に、金属薄膜層３として、厚み１０〜２０ナノメートル（０．０１〜０．０２μｍ）のチタンメッキ被膜をスパッタ方式のイオンプレーティング法により形成する。
【００２４】
本実施形態における成膜条件は、以下のとおりである。
蒸発源：チタン
印加（カソード）電圧：５００Ｖ
ガス：アルゴンガス
真空度：１０-3Ｔｏｒｒ
成形時間：３〜５ｍｉｎ
チャンバー内温度：５０℃
本実施形態では、基材１として、ＡＢＳ樹脂を選択しており、約８０℃と比較的低温で軟化するため、この基材１が溶融しないように上記の低温イオンプレーティング法での加工することが好ましい。
【００２５】
なお、前記金属薄膜層３の金属材料としては、アルミニウム、チタン、モリブデン、亜鉛、コバルト、ニッケル、クロム、金、銀、銅、鉄などの金属、黄銅（Ｃｕ−Ｆｅ）、ステンレス（Ｆｅ−Ｎｉ−Ｃｒ）、青銅（Ｃｕ−Ｓｎ）などの合金、酸化珪素、酸化チタン、ＩＴＯ（酸化インジウムスズ）、ＤＬＣ（ダイヤモンドライクカーボン）、窒化チタン、炭化チタンなどを採用することができ、反射率が高い銀やアルミニウムを用いるのが好ましい。
【００２６】
また、上記金属材料のうち、合金材料については、真空蒸着法やイオンプレーティング法が適さないため、超高真空スパッタ法などを採用することができ、また、酸化物や窒化物については、チャンバー内の雰囲気ガスにより生成することができる。
【００２７】
そして最後に、前記の複合層の表面を、透光性を有する合成樹脂材料からなるクリアコーティング層４によってカバーリングする。
【００２８】
本実施形態におけるクリアコーティング層４は、透明または半透明のクリア合成樹脂材料（好ましくは熱硬化性樹脂）から成る。ここで、透明または半透明とは、全光線透過率が４０％以上、好ましくは５０％以上のものである。
【００２９】
また、クリア合成樹脂材料としては、例えば、透明度の高いアクリル系、ポリエステル系、ウレタン系、ポリオレフィン系、フッ素系、エポキシ系、酢酸ビニル系、クロロプレン系などの有機樹脂や、或いはこれらの縮み模様を形成する樹脂や無機系ポリマーを配合した有機樹脂、紫外線硬化型樹脂、電子線硬化型樹脂などの無色透明樹脂も使用できる。なお、透明性を損なわない範囲で、防錆顔料、着色顔料、染料などを必要に応じて添加しても良い。
【００３０】
そして、このクリアコーティング層４における合成樹脂塗料の塗布方法は、スプレー法や転写法、ディッピング法などの常法を用いることができ、層厚は１０〜５０μｍが好ましい。
【００３１】
こうして形成された本考案の装飾コーティング構造は、半透鏡面状の前記金属薄膜層３により、前記塗料層２の色合いを現出する透過要素と、受光の少なくとも一部を反射する金属光沢要素とが混在した外観を呈するとともに、前記クリアコーティング層４が、前記複合層の混在外観を透過して、かつ、光干渉模様を加味しているので、光の透過と反射とが相俟って独創的で非常に装飾性の高い外観が創出されるのである。
【００３２】
本考案は、概ね上記のように構成されるが、本考案は図示の実施形態に限定されるものでは決してなく、「実用新案登録請求の範囲」の記載内において種々の変更が可能であって、塗料色と金属材料の種類、各層厚の組み合わせを変更することにより、多彩な外観を得ることができる。
【図面の簡単な説明】
【００３３】
【図１】本考案の実施形態のコーティング構造を表わす説明断面図である。
【図２】本考案の実施形態のコーティング構造を用いた眼鏡を表わす説明分解斜視図
【図３】本考案の実施形態のコーティング構造を用いたライターを表わす説明分解斜視図である。
【符号の説明】
【００３４】
１    基材
２    塗料層
３    金属薄膜層
４    クリアコーティング層
【図１】
0003134340.tif 000003
【図２】
0003134340.tif 000004
【図３】
0003134340.tif 000005